(57)【特許請求の範囲】
【請求項１】
アタッチメントが結合されて駆動源としてバッテリーを備える電動工具において、前記電動工具から前記アタッチメントへ駆動源を供給するための駆動源供給システムであって、
前記電動工具又はアタッチメントの何れか一方にオス端子を突設し、他方に、前記オス端子が挿入可能な差込口と、その差込口の内側に位置して前記オス端子と電気的接続可能なメス端子とをそれぞれ設けて、前記電動工具への前記アタッチメントの結合に伴う前記オス端子とメス端子との電気的接続により、前記バッテリーから前記アタッチメントへ駆動源を供給することを特徴とするアタッチメント付き電動工具の駆動源供給システム。
【請求項２】
前記メス端子が設けられる前記他方に、前記差込口の開放位置と閉塞位置との間でスライド可能なシャッタと、そのシャッタに一端が係合して回転可能な回転部材と、その回転部材を前記シャッタが前記閉塞位置へスライドする回転方向へ付勢する付勢手段とを設けて、
前記オス端子が設けられる前記一方に、前記アタッチメントの装着に伴って前記回転部材の他端に当接し、前記回転部材を前記付勢手段の付勢に抗して前記シャッタが前記開放位置へスライドする回転方向へ回転させる押圧部と、前記オス端子に沿った保護リブとを設けたことを特徴とする請求項１に記載のアタッチメント付き電動工具の駆動源供給システム。
【請求項３】
前記アタッチメントの駆動を前記電動工具の駆動に連動させることを特徴とする請求項１又は２に記載のアタッチメント付き電動工具の駆動源供給システム。
【請求項４】
前記アタッチメントの駆動を、前記電動工具の駆動停止から所定時間遅れて停止させるようにしたことを特徴とする請求項３に記載のアタッチメント付き電動工具の駆動源供給システム。
【請求項５】
アタッチメントが結合される電動工具において、前記電動工具から前記アタッチメントへ駆動源を供給するための駆動源供給システムであって、
前記電動工具の駆動源を、前記電動工具のハウジングへ着脱可能に装着されるバッテリーパックとして、前記ハウジングとバッテリーパックとの間に、前記バッテリーパックから前記電動工具へ電源供給を行うと共に、前記アタッチメントとの外部での有線接続によって前記バッテリーパックから前記アタッチメントへ電源供給を行う中間ハウジングを介在させたことを特徴とするアタッチメント付き電動工具の駆動源供給システム。
【発明の詳細な説明】
【技術分野】
【０００１】
本発明は、電動ドリルやハンマードリル等の電動工具に、集塵装置等のアタッチメントを装着したアタッチメント付き電動工具において、アタッチメントに駆動源を供給するためのシステムに関する。
【背景技術】
【０００２】
電動ドリルやハンマードリル等の電動工具には、例えば穿孔作業等の際に被加工材から発生する粉塵を集塵して回収する集塵装置や、先端工具を照射するライトユニット等のアタッチメントが装着される。このようなアタッチメントを用いる場合、アタッチメントに駆動源を供給する必要がある。そこで、例えば特許文献１には、電源としてバッテリーパックを装着する電動工具に、アタッチメントである集塵装置を装着するものにおいて、集塵装置に、上面が電動工具のバッテリーパック装着部に装着し、下面にバッテリーパックを装着可能な介在部を設けて、介在部を介してバッテリーパックを電動工具に装着することで、バッテリーパックから集塵装置の駆動源を得るシステムが開示されている。また、特許文献２には、電動工具のバッテリーパック装着部に装着した集塵装置に外部電源を接続して、外部電源から電動工具と集塵装置とに駆動源を供給するシステムが開示されている。
【先行技術文献】
【特許文献】
【０００３】
【特許文献１】米国特許第７１８２１５０号明細書
【特許文献２】特開２００２−３０７３３２号公報
【発明の概要】
【発明が解決しようとする課題】
【０００４】
しかし、上記特許文献１のシステムにおいては、アタッチメントを使用する場合と電動工具を単独で使用する場合とでいちいちバッテリーパックを取り外して電動工具やアタッチメントへ付け替える必要が生じ、手間が掛かる。また、特許文献２のシステムでは、外部電源を別途携帯する必要があって煩わしい上、電動工具を単独で使用する際にもアタッチメントの装着が必要となり、使い勝手が悪くなる。
【０００５】
そこで、本発明は、アタッチメントの着脱に伴う駆動源の切替に手間が掛からず、使い勝手に優れるアタッチメント付き電動工具の駆動源供給システムを提供することを目的としたものである。
【課題を解決するための手段】
【０００６】
上記目的を達成するために、請求項１に記載の発明は、アタッチメントが結合されて駆動源としてバッテリーを備える電動工具において、電動工具からアタッチメントへ駆動源を供給するための駆動源供給システムであって、電動工具又はアタッチメントの何れか一方にオス端子を突設し、他方に、オス端子が挿入可能な差込口と、その差込口の内側に位置してオス端子と電気的接続可能なメス端子とをそれぞれ設けて、電動工具へのアタッチメントの結合に伴うオス端子とメス端子との電気的接続により、バッテリーからアタッチメントへ駆動源を供給することを特徴とするものである。
請求項２に記載の発明は、請求項１の構成において、メス端子が設けられる他方に、差込口の開放位置と閉塞位置との間でスライド可能なシャッタと、そのシャッタに一端が係合して回転可能な回転部材と、その回転部材をシャッタが閉塞位置へスライドする回転方向へ付勢する付勢手段とを設けて、オス端子が設けられる一方に、アタッチメントの装着に伴って回転部材の他端に当接し、回転部材を付勢手段の付勢に抗してシャッタが開放位置へスライドする回転方向へ回転させる押圧部と、オス端子に沿った保護リブとを設けたことを特徴とするものである。
請求項３に記載の発明は、請求項１又は２の構成において、アタッチメントの駆動を電動工具の駆動に連動させることを特徴とするものである。
請求項４に記載の発明は、請求項３の構成において、アタッチメントの駆動を、電動工具の駆動停止から所定時間遅れて停止させるようにしたことを特徴とするものである。
上記目的を達成するために、請求項５に記載の発明は、アタッチメントが結合される電動工具において、電動工具からアタッチメントへ駆動源を供給するための駆動源供給システムであって、電動工具の駆動源を、電動工具のハウジングへ着脱可能に装着されるバッテリーパックとして、ハウジングとバッテリーパックとの間に、バッテリーパックから電動工具へ電源供給を行うと共に、アタッチメントとの外部での有線接続によってバッテリーパックからアタッチメントへ電源供給を行う中間ハウジングを介在させたことを特徴とするものである。
【発明の効果】
【０００７】
請求項１及び５に記載の発明によれば、アタッチメントの装着と同時に駆動源の供給が可能となる一方、アタッチメントの取り外しによって電動工具もそのまま単独使用可能となる。よって、アタッチメントの着脱に伴う駆動源の切替に手間が掛かることがなく、使い勝手に優れる。
請求項２に記載の発明によれば、請求項１の効果に加えて、オス端子の差し込み時には確実にメス端子側の差込口を開放させることができ、差し込み接続の確実性を確保できる。また、回転部材によってシャッタをスライドさせるので、差込口の開閉機構が省スペースで形成でき、コンパクト化の障害にならない。さらに、保護リブによってオス端子の損傷防止効果も得られる。
請求項３に記載の発明によれば、請求項１又は２の効果に加えて、アタッチメントを電動工具と連動させているので、アタッチメントの駆動及び駆動停止に余計な手間が掛からず、より使い勝手が良好となる。
請求項４に記載の発明によれば、請求項３の効果に加えて、遅延機能を設けたことで、電動工具の駆動を停止させてもアタッチメントの機能を所定時間残すことができ、至便となる。例えばアタッチメントとして集塵装置を採用した場合には、電動工具の駆動が停止しても集塵経路に残った粉塵を確実に回収することができ、高い集塵性能が得られる。
【図面の簡単な説明】
【０００８】
【図１】形態１の駆動源供給システムの説明図である。
【図２】形態１のハンマードリルの縦断面図である。
【図３】形態１の集塵装置の縦断面図である。
【図４】形態２の駆動源供給システムの説明図である。
【図５】形態３の駆動源供給システムの説明図である。
【発明を実施するための形態】
【０００９】
以下、本発明の実施の形態を図面に基づいて説明する。
［形態１］
図１は、アタッチメントとして集塵装置を装着した電動工具としてのハンマードリルを示し、図２はハンマードリルを単体で示している。まずハンマードリル１は、左右一対の半割ハウジングを組み付けてなるハウジング２の前側（図１，２の右側を前方とする。）中央にモータ３を、出力軸４を後方へ傾かせた傾斜姿勢で収容しており、その上方でベベルギヤ５，５を介してトルク伝達される中間軸６に、前方から第１ギヤ７、クラッチ８、ボススリーブ９を備えている。中間軸６の上方には、先端にビット１０を挿着可能なツールホルダ１１が中間軸６と平行に軸支されて、その後方に遊挿されたピストンシリンダ１２の後端に、ボススリーブ９にスワッシュベアリングを介して外装されたアーム１３が連結されている。ピストンシリンダ１２の内部には、空気室１４を介してストライカ１５が前後移動可能に外装されて、その前方に設けたインパクトボルト１６を打撃可能としている。第１ギヤ７は、ツールホルダ１１に装着された第２ギヤ１７と噛合している。
【００１０】
一方、ハウジング２の後側上部には、スイッチ１９及びスイッチレバー２０を備えたハンドル１８が形成されており、ハンドル１８の下方には、電源となるバッテリーパック２１が装着されている。また、ハウジング２の前側下部は、前面が出力軸４と平行な傾斜面部２３となってバッテリーパック２１の前方に突出し、集塵装置４０が装着される装着部２２となっている。この装着部２２の内部に、モータ３のコイル、スイッチ１９、バッテリーパック２１とリード線２４，２４・・で電気的接続されるコントローラ２５が収容されると共に、装着部２２の下面には、前端が前方へ開放する案内溝２６が前後方向に凹設されている。また、コントローラ２５の前方には、集塵装置４０側の正負のオス端子５７と電気的接続される正負のメス端子２７が設けられて、リード線２４で電気的接続されている。
【００１１】
傾斜面部２３におけるメス端子２７の前方には、四角形状の差込口２８が開口形成されると共に、装着部２２の内部には、差込口２８を開閉するシャッタ２９が設けられている。このシャッタ２９は、前面が傾斜面部２３に合わせた傾斜面となって上方へ行くに従って厚みが小さくなる板状体で、左右の半割ハウジングの内面でそれぞれ上下方向に突設された受け座３０により、差込口２８の閉塞位置と開放位置との間で上下動可能に支持されている。また、装着部２２の下部でシャッタ２９の後方には、回転部材としての回転リンク３１が設けられている。この回転リンク３１は、中央を左右方向の軸３２によって装着部２２内で回転可能に支持されて、前端で左右方向に設けたピン３３を、シャッタ２９の下部に設けられて後方へ行くに従って下方へ傾斜する傾斜溝３４に遊挿させる一方、他端には扇状のカム部３５を形成している。また、回転リンク３１は、トーションスプリング３６によって図２での左回転方向へ回転付勢されて、常態ではカム部３５を、装着部２２の底部に設けた透孔３７を介して案内溝２６内に突出させる一方、ピン３３でシャッタ２９を押し上げて差込口２８の閉塞位置に保持している。
【００１２】
集塵装置４０は、図３にも示すように、ハンマードリル１の装着部２２の傾斜面部２３及び底面に当接して嵌合する嵌合凹部４２を備え、左右の半割ケーシングを組み付けてなる側面視逆Ｌ字状のケーシング４１を有している。ケーシング４１の後方には、出力軸４４を前方へ向けたモータ４３が横向きに収容されると共に、その後方にコントローラ４５が設けられている。また、出力軸４４には集塵ファン４６が固着されて、ケーシング４１内に区画形成されて側面に図示しない排気口を備えた吸気室４７内に収容されている。４８は、吸気室４７の前方でケーシング４１に形成されたダストボックス６１の結合部で、前方のみ開口した凹状を呈し、結合部４８の底となる仕切壁４９には、集塵ファン４６の同軸上で結合部４８を吸気室４７と連通させる連通孔５０が形成されている。
【００１３】
一方、結合部４８の上方には、前端が開口し後端がＵ字状にターンして結合部４８の後方へ回り込む案内通路５１が前後方向に形成されており、その案内通路５１の前端に、Ｌ字状のノズル５２が連結されて、吸込口５３を有する先端を上向きに突出させている。このノズル５２及び案内通路５１には、両者に跨ってフレキシブルホース５４が収容されており、フレキシブルホース５４の後端には、案内通路５１の後端形状に沿ってＵ字状に折り返した四角筒状のダクト５５が連結されている。筒体となるダクト５５の先端部５６は、仕切壁４９を貫通して結合部４８内に突出している。
【００１４】
また、結合部４８の後方には、正負一対のオス端子５７が設けられている。このオス端子５７は、嵌合凹部４２を形成するケーシング４１の傾斜後面５８に差し込み固定されて後方へ突出する板状体で、ケーシング４１には、オス端子５７の中間部分に沿って固定され、先端が後方へ突出する保護リブ５９が設けられている。よって、オス端子５７は、突出する根元部分が保護リブ５９によって保護されることになる。さらに、嵌合凹部４２を形成するケーシング４１の後部上面には、ハンマードリル１の装着部２２の下面に設けられた案内溝２６に嵌合する押圧部としてのレール６０が前後方向に突設されている。６１は、結合部４８に結合されるダストボックスで、ボックス本体６２にヒンジ結合される蓋体６３にフィルタユニット６４を備え、結合部４８への装着状態で、ダクト５５の先端部５６が蓋体６３に設けた入口６５を貫通すると共に、出口６６が連通孔５０に対向する。
【００１５】
以上の如く構成されたハンマードリル１においては、集塵装置４０をハンマードリル１に装着する際には、ハンマードリル１の装着部２２下面の案内溝２６に集塵装置４０のレール６０を合わせた状態で、装着部２２に対して嵌合凹部４２を前方から嵌合させるように集塵装置４０を後方へスライドさせる。すると、レール６０が案内溝２６内を後方へスライドし、その途中で回転リンク３１のカム部３５に当接し、カム部３５を押し上げることで回転リンク３１を図２において右回転させる。よって、ピン３３がシャッタ２９を下方の開放位置へ引込み、差込口２８を開放させる。このとき、ピン３３はシャッタ２９の傾斜溝３４内を相対的に前方へ摺動しながらシャッタ２９を引き込むため、傾斜溝３４の傾斜により、同じ回転量でも大きなストロークでシャッタ２９を下方へスライドさせることができる。
その後、集塵装置４０のオス端子５７が開放した差込口２８からハウジング２内へ進入し、装着部２２が嵌合凹部４２へ嵌合すると同時にメス端子２７に挿通して電気的接続される（図１）。
【００１６】
そして、ハンマードリル１のスイッチレバー２０を押し込み操作してスイッチ１９をＯＮさせると、モータ３が駆動して中間軸６を回転させる。このとき、ハウジング２の外部からクラッチ８をスライド操作して、第１ギヤ７のみと係合する前進位置、ボススリーブ９のみと係合する後退位置、第１ギヤ７及びボススリーブ９と同時に係合する中間位置の何れかを選択することで、第２ギヤ１７を介してツールホルダ１１が回転してビット１０を回転させるドリルモード、アーム１３の揺動によってピストンシリンダ１２を往復動させ、連動するストライカ１５によってインパクトボルト１６を介してビット１０を打撃するハンマーモード、ツールホルダ１１の回転とインパクトボルト１６の打撃とを同時に行うハンマードリルモードの選択が可能となる。
【００１７】
一方、スイッチ１９のＯＮによってコントローラ２５は、集塵装置４０のコントローラ４５へ電源を供給する。よって、コントローラ４５は、モータ４３を駆動させて集塵ファン４６を回転させる。これにより、ノズル５２の吸込口５３から外気が吸引され、フレキシブルホース５４及びダクト５５を通って入口６５からボックス本体６２内に排出され、フィルタユニット６４を通過して出口６６から連通孔５０を介して吸気室４７に至り、吸気室４７に設けた排気口から外部へ排出される。従って、回転等するビット１０によって被加工材から生じた粉塵は、吸込口５３に吸い込まれてノズル５２及びフレキシブルホース５４、ダクト５５を介してボックス本体６２内に進入し、フィルタユニット６４に捕捉されてボックス本体６２内に貯留することになる。
【００１８】
なお、スイッチレバー２０の押し込みを解除してスイッチ１９をＯＦＦさせると、モータ３が停止してビット１０の回転等が停止する。しかし、コントローラ２５は、集塵装置４０への通電をスイッチ１９のＯＦＦから数秒間遅らせて停止させる遅延機能を備えているため、集塵装置４０ではビット停止後数秒間は集塵ファン４６が回転を続ける。よって、ノズル５２やフレキシブルホース５４等に残留した粉塵もダストボックス６１へ確実に回収することができる。
【００１９】
一方、集塵装置４０の取り外しは、装着時と逆に集塵装置４０をハンマードリル１から前方へスライドさせると、案内溝２６によるレール６０の案内で集塵装置４０が前方へスライドし、これに従ってオス端子５７がメス端子２７から離間して差込口２８から抜き取られる。その後、前進したレール６０によるカム部３５の押し上げを解かれた回転リンク３１がトーションスプリング３６の付勢によって左回転するため、ピン３３を介してシャッタ２９を上方へ押し上げる。よって、シャッタ２９が閉塞位置へ復帰して差込口２８を閉塞することになる。
【００２０】
このように、上記形態１の駆動源供給システムによれば、集塵装置４０にオス端子５７を突設し、ハンマードリル１に、オス端子５７が挿入可能な差込口２８と、その差込口２８の内側に位置してオス端子５７と電気的接続可能なメス端子２７とをそれぞれ設けて、ハンマードリル１への集塵装置４０の結合に伴うオス端子５７とメス端子２７との電気的接続により、バッテリーパック２１から集塵装置４０へ駆動源を供給するようにしたことで、集塵装置４０の装着と同時に駆動源の供給が可能となる一方、集塵装置４０の取り外しによってハンマードリル１もそのまま単独使用可能となる。よって、集塵装置４０の着脱に伴う駆動源の切替に手間が掛かることがなく、使い勝手に優れる。
【００２１】
特にここでは、メス端子２７が設けられるハンマードリル１に、差込口２８の開放位置と閉塞位置との間でスライド可能なシャッタ２９と、そのシャッタ２９に一端が係合して回転可能な回転リンク３１と、その回転リンク３１をシャッタ２９が閉塞位置へスライドする回転方向へ付勢するトーションスプリング３６とを設けて、オス端子５７が設けられる集塵装置４０に、集塵装置４０の装着に伴って回転リンク３１のカム部３５に当接し、回転リンク３１をトーションスプリング３６の付勢に抗してシャッタ２９が開放位置へスライドする回転方向へ回転させるレール６０と、オス端子５７に沿った保護リブ５９とを設けたことで、オス端子５７の差し込み時には確実にメス端子２７側の差込口２８を開放させることができ、差し込み接続の確実性を確保できる。また、回転リンク３１によってシャッタ２９をスライドさせるので、差込口２８の開閉機構が省スペースで形成でき、コンパクト化の障害にならない。さらに、保護リブ５９によってオス端子５７の損傷防止効果も得られる。
【００２２】
一方、ハンマードリル１の駆動に集塵装置４０の駆動を連動させているので、集塵装置４０の駆動及び駆動停止に余計な手間が掛からず、より使い勝手が良好となる。
また、ハンマードリル１の駆動停止に集塵装置４０の駆動停止が遅れる遅延機能を備えたことで、ノズル５２やフレキシブルホース５４等に残留した粉塵もダストボックス６１へ確実に回収することができ、高い集塵性能が得られる。
【００２３】
なお、上記形態１では、回転リンクを左右方向の軸を中心に回転可能としているが、前後方向の軸を中心に回転可能に設けて一端をシャッタに結合し、他端のカム部の前面及び／又はレールの後面に設けたテーパ面によってレールの進入に伴う回転リンクの回転でシャッタを下方へ引き込むようにしてもよい。すなわち、回転部材の回転方向や押圧部との当接形態は適宜変更可能である。
また、シャッタ及び回転部材をメス端子の上側や側方に設けてシャッタを上方や側方へスライドさせて差込口を開放させるようにしたり、オス端子とメス端子との配置は上記と逆にして、オス端子を電動工具に、メス端子をアタッチメントにそれぞれ設けたりすることも可能である。
【００２４】
一方、オス端子においても、保護リブの形状変更が可能であるのは勿論、例えば保護リブを集塵装置のケーシングから出没可能に設けて、常態ではコイルバネ等の付勢手段によってケーシングから突出してオス端子を保護する突出位置に付勢して、電動工具への装着の際には、保護リブが電動工具のハウジング側に当接して後退するような設計変更も考えられる。
【００２５】
次に、本発明の他の形態を説明する。但し、形態１と同じ構成部には同じ符号を付して重複する説明は省略する。
［形態２］
図４に示すハンマードリル１ａにおいては、ハウジング２とバッテリーパック２１との間に中間ハウジング６７を介在させている。この中間ハウジング６７は、上面がハウジング２に装着されて、下面に、バッテリーパック２１が着脱可能な装着面を形成したもので、装着面に設けられてバッテリーパック２１に電気的接続される端子板６８が、リード線２４によってコントローラ２５へ接続されている。バッテリーパック２１は、図４の左側から中間ハウジング６７の装着面へスライド装着される。
また、中間ハウジング６７の後面には、バッテリーパック２１の電源を外部へ出力可能なピンジャックが設けられて、集塵装置４０ａのコントローラ４５に接続されて外部へ引き出されたコード６９の先端に設けたピンプラグ６９ａを差し込み可能となっている。その他のハンマードリル１ａ及び集塵装置４０ａの構造はオス端子及びメス端子による電気的接続構造を除いて形態１と同様である。
【００２６】
従って、この駆動源供給システムにおいては、案内溝２６にレール６０を嵌合させて集塵装置４０ａを装着部２２に装着した後、集塵装置４０ａのピンプラグ６９ａを中間ハウジング６７のピンジャックに差し込むと、バッテリーパック２１から集塵装置４０ａへの電源供給が可能となる。勿論ハンマードリル１ａ自体の駆動源はバッテリーパック２１から得られるため、ピンプラグ６９ａをピンジャックから抜き取って集塵装置４０ａを取り外してもそのままハンマードリル１ａは単独使用できる。
このように、上記形態２の駆動源供給システムにおいても、集塵装置４０ａの装着と略同時に駆動源の供給が可能となる一方、集塵装置４０ａの取り外しによってハンマードリル１ａもそのまま単独使用可能となる。よって、集塵装置４０ａの着脱に伴う駆動源の切替に手間が掛かることがなく、使い勝手に優れる。
【００２７】
なお、バッテリーパックの装着はスライド装着に限らず、ハウジングへの差し込み装着等の他の装着形態であっても、中間ハウジングの装着面を当該装着形態に合わせて変更すればよい。また、アタッチメントと中間ハウジングとの有線接続の形態も、ピンジャックの位置を変えたり、コードを中間ハウジング側から引き出してアタッチメントに差し込み接続したり、コードをアタッチメントとも別体にして電動工具とアタッチメントとの両方に差し込み接続したり等、適宜変更可能である。
【００２８】
［形態３］
図５に示すハンマードリル１ｂは、商用電源を駆動源とするＡＣ工具であって、ハウジング２の前方（この図５では左側が前方となる。）下部に、モータ７０が出力軸７１を上向きにして収容されており、出力軸７１から回転伝達される前側の中間シャフト７２がツールホルダ１１に回転伝達を行う。一方、出力軸７１から回転伝達される後側のクランクシャフト７３は、上端に突設した偏心ピン７４をコネクティングロッド７５を介してピストンシリンダ１２に連結することで、クランクシャフト７３の回転をピストンシリンダ１２の往復動に変換して、ストライカ１５による打撃を可能としている。また、出力軸７１の下端には、側面が下方への先細りテーパ面となる駆動ホイール７６が取り付けられており、ハウジング２の前方下端には、駆動ホイール７６のテーパ面を露出させる窓７７が、ハウジング２の下面から上下方向に形成されている。
【００２９】
そして、集塵装置４０ｂは、ケーシング４１内にモータを備えておらず、フィルタ７９を収容した集塵室７８の上流側に、ダクト５５の先端を突出させる一方、フィルタ７９の下流側に、シャフト８０を上下方向に軸支している。このシャフト８０の上端には、集塵室７８から区画される吸気室８１内に収容される集塵ファン８２が収容されて、シャフト８０の下端には、側面が上方への先細りテーパ面となる従動ホイール８３が取り付けられている。この従動ホイール８３は、ケーシング４１の後面下方に形成された窓８４から側面を露出させている。
この集塵装置４０ｂは、ハンマードリル１ｂのハウジング２の下部前面に対して後面を下方からスライドさせることで、両面に設けた図示しない係止部同士が係止してハウジング２に装着可能となっており、この装着状態で、駆動ホイール７６の側面に従動ホイール８３の側面が下方から圧接するようになっている。
【００３０】
従って、この駆動源供給システムにおいては、集塵装置４０ｂをハウジング２の下方からスライド装着させると、前述のように駆動ホイール７６と従動ホイール８３とが圧接するため、ハンマードリル１ｂのスイッチレバー２０の押し込みによってスイッチ１９がＯＮし、モータ７０の出力軸７１が回転すると、駆動ホイール７６も一体回転して従動ホイール８３を回転させる。従って、集塵装置４０ｂのシャフト８０が回転して集塵ファン８２を回転させ、吸込口５３からの粉塵の吸込及びフィルタ７９による集塵室７８への回収が可能となる。スイッチレバー２０の押し込みを解除してモータ７０の駆動を停止させると、出力軸７１と共に駆動ホイール７６が停止し、従動ホイール８３を介してシャフト８０及び集塵ファン８２が停止する。
一方、集塵装置４０ｂをハンマードリル１ｂから取り外せば、従動ホイール８３が駆動ホイール７６から離れるのみで、ハンマードリル１ｂはそのまま使用できる。
【００３１】
このように、上記形態３の駆動源供給システムにおいても、集塵装置４０ｂの装着と同時に駆動源の供給が可能となる一方、集塵装置４０ｂの取り外しによってハンマードリル１ｂもそのまま単独使用可能となる。よって、集塵装置４０ｂの着脱に伴う駆動源の切替に手間が掛かることがなく、使い勝手に優れる。特に、出力軸７１に駆動ホイール７６を設けてトルクを取り出しているため、増速機構を設けることなく集塵ファン８２の所望の回転速度が得られる。
なお、駆動ホイール及び従動ホイールの位置や形態は適宜変更可能で、例えば集塵装置をハンマードリルに対して前方からスライド装着させる場合には、テーパ面でない側面同士を圧接させるようにしてもよい。
【００３２】
なお、各形態に共通して、アタッチメントとしては集塵装置に限らず、例えばＬＥＤ等を備えた照明ユニット等でも差し支えない。勿論電動工具も、ハンマードリルに限らず、電動ドリルや電動ハンマ等の他の種類の工具であっても本発明の適用は可能である。
【符号の説明】
【００３３】
１，１ａ,１ｂ・・ハンマードリル、２・・ハウジング、３，４３，７０・・モータ、４，４４，７１・・出力軸、６・・中間軸、１０・・ビット、１１・・ツールホルダ、２１・・バッテリーパック、２２・・装着部、２５，４５・・コントローラ、２６・・案内溝、２７・・メス端子、２８・・差込口、２９・・シャッタ、３１・・回転リンク、３５・・カム部、４０，４０ａ，４０ｂ・・集塵装置、４１・・ケーシング、４２・・嵌合凹部、４６，８２・・集塵ファン、４８・・結合部、５０・・連通孔、５２・・ノズル、５３・・吸込口、５５・・ダクト、５６・・先端部、５７・・オス端子、６０・・レール、６１・・ダストボックス、６２・・ボックス本体、６３・・蓋体、６４・・フィルタユニット、６７・・中間ハウジング、６９・・ピンジャック、７６・・駆動ホイール、８０・・シャフト、８３・・従動ホイール。
【図１】
0005448951.tif 000002
【図２】
0005448951.tif 000003
【図３】
0005448951.tif 000004
【図４】
0005448951.tif 000005
【図５】
0005448951.tif 000006